(57)【要約】【課題】舵面の一部又は全てが機能不良となった場合においても、操縦者による複雑なスロットル操作を必要とせずに、安定した飛行を可能とする。【解決手段】機体の状態情報及び操作端からの操作指令信号に基づいて、エンジン推力を制御するための推力指令制御信号及び舵面を制御するための舵角指令制御信号を算出する演算手段１５と、前記推力指令制御信号に基づいてエンジンを駆動するエンジン駆動手段１７と、前記舵角指令制御信号に基づいて各舵面を駆動する舵面駆動手段１６とを備える。【選択図】図１
2011178248.tif 000002
【特許請求の範囲】
【請求項１】
機体の状態を示す状態情報及び操作端からの操作指令信号に基づいて、エンジン推力を制御するための推力指令制御信号及び舵面を制御するための舵角指令制御信号を算出する演算手段と、
前記推力指令制御信号に基づいてエンジンを駆動するエンジン駆動手段と、
前記舵角指令制御信号に基づいて各舵面を駆動する舵面駆動手段と
を備えた航空機の制御システム。
【請求項２】
前記舵面の少なくとも１つが機能不良であることを検出する舵面動作状態検出手段を備え、
前記演算手段が、前記舵面の少なくとも一つが機能不良であるとことを検出した場合に、前記推力指令制御信号及び前記舵角指令制御信号を算出する請求項１記載の航空機の制御システム。
【請求項３】
前記舵面の少なくとも１つが機能不良であることを検出し、その旨を操縦者に報知する警報手段を備えた請求項１又は請求項２記載の航空機の制御システム。
【請求項４】
前記エンジンと前記舵面の応答速度を調整する応答調整用フィルタを設けた請求項１乃至請求項３の何れか１項記載の航空機の制御システム。
【請求項５】
請求項１乃至請求項４の何れか１項に記載の航空機の制御システムを備えた航空機。
【請求項６】
機体の状態を示す状態情報及び操作端からの操作指令信号に基づいて、エンジン推力を制御するための推力指令制御信号及び舵面を制御するための舵角指令制御信号を算出するステップと、
前記推力指令制御信号に基づいてエンジンを駆動するステップと、
前記舵角指令制御信号に基づいて各舵面を駆動するステップと
を備えた航空機の制御方法。
【発明の詳細な説明】
【技術分野】
【０００１】
本発明は、航空機の制御システム、航空機の制御方法、及び航空機に係り、特に、舵面の一部又は全てが不作動状態或いは欠損状態といった機能不良状態となった場合においても安定した飛行を可能とする航空機の制御システム、航空機の制御方法、及び航空機に関するものである。
【背景技術】
【０００２】
一般に、航空機の姿勢制御は、所定の制御信号に従ってアクチュエータにより昇降舵（エレベータ)、補助翼（エルロン）及び方向舵（ラダー）等の各舵面を適宜駆動することにより行われる。より具体的には、航空機の制御システムでは、航空機に搭載された制御用コンピュータが、航空機に設けられた慣性センサやエアデータセンサ等の各種センサから検出した情報及び操縦輪等の操縦端からの操作指令信号に基づいて舵面を制御するための舵角指令制御信号を算出し、この舵角指令制御信号に従ってアクチュエータが各舵面を駆動することにより、航空機を所望の姿勢に維持し、安定した飛行を実現している。
【０００３】
ところが、飛行中の故障又は損傷等により舵面の一部又は全てが機能不良状態となった場合には、舵面によっては姿勢変更又は保持が困難なため、これを補うように操縦者がスロットルを操作して所望の姿勢を保ち、飛行の継続又は着陸を試行することとなる。
舵面が損傷した場合の航空機の制御に関し、例えば、特許文献１（特開平８−１８３４９７号公報）には、ジェット排気の方向を偏向させることによりヨー方向のモーメントを生成する推力偏向手段を設け、方向舵が機能していないと判定した場合に、方向舵による制御から推力偏向手段による制御に切り替える制御方法が開示されている。
【先行技術文献】
【特許文献】
【０００４】
【特許文献１】特開平８−１８３４９７号公報
【発明の概要】
【発明が解決しようとする課題】
【０００５】
しかしながら、上記した操縦者のスロットル操作による航空機の制御は、安定した飛行の継続や安全な着陸が困難であるという問題がある。また、特許文献１に開示された技術では、推力偏向手段を別途設ける必要があることから、航空機の部品点数の増加、重量化及びメンテナンス箇所の増加という問題がある。
【０００６】
本発明は、上記問題を解決するためになされたもので、舵面の一部又は全てが機能不良状態となった場合においても、操縦者による複雑なスロットル操作を必要とせずに、安定した飛行を可能とする航空機の制御システムを提供することを目的とする。
【課題を解決するための手段】
【０００７】
上記課題を解決するために、本発明は以下の手段を採用する。
本発明は、機体の状態を示す状態情報及び操作端からの操作指令信号に基づいて、エンジン推力を制御するための推力指令制御信号及び舵面を制御するための舵角指令制御信号を算出する演算手段と、前記推力指令制御信号に基づいてエンジンを駆動するエンジン駆動手段と、前記舵角指令制御信号に基づいて各舵面を駆動する舵面駆動手段とを備えた航空機の制御システムを提供する。
【０００８】
本発明によれば、演算手段では、機体に設けられた慣性センサやエアデータセンサ等から、機体の角速度、姿勢角、加速度、迎角、横滑り角、気圧高度及び対気速度等の機体の状態に関する様々な状態情報を取得すると共に、操縦者によって操縦輪等操縦端が操作されたことによる操作指令信号を取得する。そして、機体を所望の姿勢に制御するために、これら状態情報及び操作指令信号に基づいてエンジン推力を制御するための推力指令制御信号及び舵面を制御するための舵角指令制御信号を算出する。さらに、エンジン駆動手段により推力指令制御信号に基づいてエンジンを駆動し、舵面駆動手段により舵角指令制御信号に基づいて各舵面を駆動する。このように、舵面を駆動することによる舵角の制御に加えて、推力指令制御信号に基づいてエンジンを駆動してエンジン推力を制御するので、舵面の一部又は全てが動作不能或いは欠損状態となり舵面が機能しない場合、即ち、舵面による機体の姿勢制御が困難な場合においても、エンジン推力を制御することによって機体を所望の姿勢に変化させる又は維持することができ、操縦者による複雑なスロットル操作を必要とせずに、安定した飛行を継続することができる。
【０００９】
また、上記した本発明において、前記舵面の少なくとも１つが機能不良であることを検出する舵面動作状態検出手段を備え、前記演算手段が、前記舵面の少なくとも一つが機能不良であることを検出した場合に、前記推力指令制御信号及び前記舵角指令制御信号を算出することが好ましい。
本発明によれば、舵面が機能不良となった場合にエンジン推力により機体を制御することで、常に安定した飛行を継続することができる。一般に、エンジン推力により機体を制御する場合、舵面により機体を制御する場合よりも応答速度において劣る。また、全ての舵面が正常である場合には、機体の姿勢維持のためにエンジン推力を制御する必要がない。このため、エンジン推力により機体を制御する場合を、舵面の一部又は全てが機能不良となった場合とすることで、機体をより的確に制御し、常に安定した飛行を継続することができる。
【００１０】
さらに本発明は、前記舵面の少なくとも１つが機能不良であることを検出し、その旨を操縦者に報知する警報手段を備えることが好ましい。
本発明によれば、舵面の少なくとも１つが機能不良となったことを操縦者に報知することで、操縦者による適切な対応が期待でき、機体をより的確に制御し安定した飛行を継続することができる。
【００１１】
さらにまた、本発明は、前記エンジンと前記舵面による機体の応答速度を調整する応答調整用フィルタを備えることが好ましい。
本発明によれば、応答調整用フィルタによりエンジン推力による機体応答と舵面による機体応答の速度を調整することができるので、安定した飛行の継続に寄与することができる。一般に、エンジン推力により機体を制御する際の機体の応答速度は、舵角により機体を制御する際の機体の応答速度に比して時間を要する。また、機能不良となった舵面が何れの箇所であるかによってもその応答速度にバラツキが生じる。このため、舵角指令制御信号を前記応答調整用フィルタにてフィルタリングしてエンジンと同程度の応答速度を舵面においても実現することで、前記応答速度のバラツキを抑制し、安定した飛行の継続に寄与することができる。
【００１２】
本発明は、上記した航空機の制御システムを備えた航空機を提供する。
本発明によれば、航空機が上記した制御システムを備えることで、舵面を駆動することによる舵角の制御に加えて、推力指令制御信号に基づいてエンジンを駆動してエンジン推力を制御することによって機体を所望の姿勢に変更又は維持することができ、操縦者による複雑なスロットル操作を必要とせずに、安定した飛行を継続することができる。
【００１３】
本発明は、機体の状態を示す状態情報及び操作端からの操作指令信号に基づいて、エンジン推力を制御するための推力指令制御信号及び舵面を制御するための舵角指令制御信号を算出するステップと、前記推力指令制御信号に基づいてエンジンを駆動するステップと、前記舵角指令制御信号に基づいて各舵面を駆動するステップとを備えた航空機の制御方法を提供する。
【発明の効果】
【００１４】
このように、本発明によれば、舵面の一部又は全てが機能不良となった場合においても、操縦者による複雑なスロットル操作を必要とせずに、安定した飛行を可能とする。
【図面の簡単な説明】
【００１５】
【図１】本発明の航空機の制御システムを航空機に適用した場合の概略構成を示すブロック図である。
【発明を実施するための形態】
【００１６】
以下に、本発明に係る航空機の制御システムの一実施形態について、図面を参照して説明する。
図１は、本実施形態に係る航空機の制御システムを適用した航空機１の概略構成を示したブロック図である。航空機１は、センサ２、舵面３、エンジン４、操縦室５、制御システム６を備えている。
【００１７】
センサ２は、慣性センサやエアデータセンサ等の各種センサを含み、機体の角速度、姿勢角、加速度、迎角、横滑り角、気圧高度及び対気速度等の機体の状態に関する様々な状態情報を取得して、取得した状態情報を制御システム６に出力する。
舵面３は、機首を上げたり下げたりする昇降舵（エレベータ）、機首の向きを左右に変える方向舵（ラダー)、機体を左右に傾ける補助翼（エルロン）、主翼の翼型を修正して揚力を増大させる高揚力装置（フラップ）等を含み、舵面３を後述するアクチュエータにより駆動することで、機体の姿勢を空力的な力によって制御する。
エンジン４は、例えばジェットエンジンであり、後述するエンジン制御装置により駆動され、吸入した空気に燃料を混ぜて燃焼させ、発生したガスを高速で噴出するときの反動で推力を得る。
【００１８】
操縦室５は、航空機１の飛行状態を示す計器類（図示せず）が配置されると共に、図１に示すように、操縦端１０、スロットル１１、警報部１２及び切替部１３等の操縦者による航空機１の操縦を実現するための種々の機器が配置されている。操縦端１０は、操縦者によって操作されることにより舵面３を制御するためのものであり、操縦者が操縦端１０を操作したことによる舵面を制御するための操作指令信号は制御システム６に出力される。スロットル１１は、操縦者によって操作されることによりエンジン推力を制御するためのものであり、操縦者がスロットル１１を操作したことに起因するエンジン推力を制御するための操作指令信号は制御システム６に出力される。また、警報部１２は、ブザー音や操縦室５内に設けられた表示部（図示せず）に表示することにより制御システム６からの情報に基づいて操縦者に対して所定の警報を報知するものであり、本実施形態においては、特に、舵面に損傷が生じた場合等舵面３が機能不良となった場合に、その旨を操縦者に報知する。切替部１３は、制御システム６の飛行制御則２０及び舵面・推力統合飛行制御則２２（詳細は後述）を切り替えるための切替指令信号を出力するものであり、操縦者による操作に基づいて切替指令信号を制御システム６に出力する。
【００１９】
制御システム６は、所定の制御信号を演算するためのコンピュータ１５、コンピュータ１５から出力された制御信号に基づいて舵面３を駆動するアクチュエータ１６、同様にコンピュータ１５から出力された制御信号に基づいてエンジン４を駆動するエンジン制御装置１７及び舵面の動作状態を検出する舵面動作状態検出部１８を備えている。
【００２０】
コンピュータ１５は、舵角指令制御信号及び推力指令制御信号を演算するものであり、飛行制御則２０、舵面・推力統合飛行制御則２２及び両制御則を切り替えるためのスイッチ１９を備えている。
【００２１】
飛行制御則２０は、航空機１が備える舵面３等の各機器に異常がなく正常に飛行している状態において自動又は操縦者による手動で飛行を実現するための飛行制御則である。
【００２２】
飛行制御則２０に基づいて航空機１が制御されている状態において、特に、その姿勢を制御する際は、操縦者による操作端１０からの操作指令信号とセンサ２からの状態情報に基づいてコンピュータ１５が舵角指令制御信号を生成する。生成された舵角指令制御信号は何れもアクチュエータ１６に出力され、アクチュエータ１６がこの舵角指令制御信号に従って舵面３を駆動し、舵角が制御されることにより航空機１の姿勢が変更され又は維持される。
【００２３】
舵面・推力統合飛行制御則２２は、航空機１の舵面３の何れかが機能不良状態に陥った場合に自動又は操縦者による手動で飛行を実現するための飛行制御則である。舵面・推力統合飛行制御則２２に基づいて航空機１が制御されている状態において、その姿勢を制御する際は、操縦者による操作端１０からの操作指令信号とセンサ２からの状態情報に基づいてコンピュータ１５が舵角指令制御信号及び推力指令制御信号を生成する。舵面・推力統合飛行制御則２２では、操作指令信号と状態情報に基づいて推力指令制御信号を演算するので、スロットル１１が操作された場合にも、コンピュータ１５がこの操作の効果を制限し、自動的に操作指令信号及び状態情報に基づく推力指令制御信号の演算を優先するようになっている。
【００２４】
生成された舵角指令制御信号はアクチュエータ１６に出力され、アクチュエータ１６がこの舵角指令制御信号に従って舵面３を駆動する。また生成された推力指令制御信号はエンジン制御装置１７に出力され、エンジン制御装置１７がこの推力指令制御信号に従ってエンジン４を駆動する。そして、舵面３及びエンジン４が、舵角指令制御信号及び推力指令制御信号に従って駆動されることで、舵角及びエンジン推力が制御されて航空機１の姿勢が変更され又は維持される。
【００２５】
なお、ここで舵面・推力統合飛行制御則２２から舵角指令制御信号をアクチュエータ１６に出力する際の経路には、エンジン４と舵面３との応答速度の差を調整するための応答調整用フィルタ２３が設けられている。応答調整用フィルタ２３による応答速度の調整は、例えば、舵角指令制御信号をフィルタリングすることにより行うことができる。
一般に、エンジン推力を制御する場合に推力指令制御信号を出力してからエンジン４がその推力指令制御信号基づくエンジン推力を出力するまでの応答速度は、舵角を制御する場合に舵角指令制御信号を出力してから舵面３がその舵角指令制御信号に基づく舵角に到達するまでの応答速度よりも時間を要する。また、機能不良となった舵面３が何れの箇所であるかによっても機体の応答速度にバラツキが生じるため、応答調整用フィルタ２３を設けてエンジン４の応答速度と同程度の応答速度を舵面３において実現するよう調整することで、機能不良となった舵面３が何れの箇所であるかによらず均一な機体の応答速度を実現する。
【００２６】
舵面動作状態検出部１８は、センサ２から出力された航空機１の状態情報に基づいて舵面３が正常に機能しているかを判定し、舵面３の何れか若しくは全てが動作不能或いは欠損状態となっている場合に、機能不良であることを検出し、その旨を示す機能不良信号を警報部１２及びコンピュータ１５に出力する。また、舵面動作状態検出部１８は、舵面３の機能不良が検出された状態において、コンピュータ１５の飛行制御則２０及び舵面・推力統合飛行制御則２２を自動的に切り替える場合には、コンピュータ１５に対して切替信号を出力する。
【００２７】
スイッチ１９は、航空機１の状態により、操縦者からの指示に基づく切替部１３からの切替指令信号によって、又は、舵面動作状態検出部１８からの切替信号によって、飛行制御則２０及び舵面・推力統合飛行制御則２２を適宜切り替えるようになっている。
【００２８】
以下、このように構成された航空機の制御システムの作用について説明する。
上記した航空機１が備える舵面３等の各機器に異常がない場合、飛行制御則２０に基づいて、航空機１が制御され飛行している。飛行中、舵面動作状態検出部１８が舵面３の少なくとも１つが損傷等の何らかの理由により機能不良となっていることを検出すると、舵面動作状態検出部１８より、その旨の機能不良信号が警報部１２へ、切替信号がコンピュータ１５へ出力される。警報１２へ機能不良信号が出力されたことにより、航空機１の操縦者が舵面３の機能不良を認識すると、操縦者により舵面・推力統合飛行制御則２２への切替を行うために切替部１３の操作が行われ、切替部１３から切替指令信号が出力される。コンピュータ１５では、切替指令信号に基づいてスイッチ１９を駆動し、図１に示すように、航空機１が舵面・推力統合飛行制御則２２に基づいて制御されるよう切り替える。
【００２９】
舵面・推力統合飛行制御則２２に基づいて航空機１が制御されている状態において、操作端１０から操作指令信号がコンピュータ１５に出力された場合、コンピュータ１５が、操作指令信号及びセンサ２からの状態情報に基づいて、何れの舵面３が機能不良であるかを加味した上で、機能不良となった舵面３を補いつつ、機体を所望の姿勢に変更又は維持するように舵角指令制御信号及び推力指令制御信号を演算する。そして、演算された舵角指令制御信号に基づいてアクチュエータ１６が舵面３を駆動し、推力指令制御信号に基づいてエンジン制御装置１７がエンジンを駆動することで、機体を所望の姿勢に変更又は維持する。
【００３０】
例えば、機体を左ロールさせたい場合には、舵面３が全て正常である場合には、左舷側のエルロン後縁を上向として左舷側主翼の揚力を下げる共に、右舷側のエルロン後縁を下向きとして右舷側主翼の揚力を上げることで機体の左右に揚力差を生成させる。しかし、右舷側のエルロンが機能不良となっている場合には、上述したような十分な揚力差を生成することができないため、所望のスピードで左ロール（回転）することができない。
【００３１】
このため、コンピュータ１５では、舵面・推力統合飛行制御則２２に基づいて、左舷側のエルロン後縁を上向きとする舵角指令制御信号を生成すると共に、右舷側のエンジンのエンジン推力を増大しつつ左舷側のエンジンのエンジン推力を減少させる推力指令制御信号を演算する。そして、これらの制御信号に従って舵面３及びエンジン４が駆動することで、左舷側主翼の揚力を下げると共に左ヨーのヨーイングモーメントを生成して横滑り角を発生させ、上反角効果によるローリングモーメントを生成させて機体を所望の速度で左ロールさせることができる。
【００３２】
また、他の例として、機首を下げたい場合、舵面３が全て正常である場合には、エレベータを駆動させることによって容易に機首を下げることができるが、エレベータが機能不良となっている場合は、コンピュータ１５は、左右のエンジンのエンジン推力を同時に減少させる推力指令制御信号を生成する。これにより、エンジンによりピッチ方向のコントロールが可能となり、機首を下げることができる。
【００３３】
このように、舵面３を駆動することによる舵角の制御に加えて、エンジン推力も制御するので、舵面３の一部又は全てが機能不良となり舵面３が機能しない場合、即ち、舵面による機体の姿勢制御が困難な場合においても、自動的にエンジン推力を制御するための推力指令制御信号を演算してエンジン推力を制御することでこれを補償する。これにより、舵面３の一部又は全てが機能不良となり舵面３が機能しない場合であっても、操縦者による複雑なスロットル操作を必要とせずに、機体を所望の姿勢に変化させる又は維持することができ、安定した飛行を継続することができる。
【００３４】
なお、コンピュータ１５は、スイッチ１９によりソフトウェア的に飛行制御則２０及び舵面・推力統合飛行制御則２２の両制御則を切り替えることができるのはもちろん、舵角指令制御信号及び推力指令制御信号を演算する別個独立の演算器を夫々備え、スイッチ１９によりハードウェア的に飛行制御則２０及び舵面・推力統合飛行制御則２２の両制御則を切り替える構成とすることもできる。
【符号の説明】
【００３５】
１  航空機
２  センサ
３  舵面
４  エンジン
５  操縦室
６  制御システム
１０  操縦端
１１  スロットル
１２  警報部（警報手段）
１３  切替部
１５  コンピュータ（演算手段）
１６  アクチュエータ（舵面駆動手段）
１７  エンジン制御装置（エンジン駆動手段）
１８  舵面動作状態検出部（舵面動作状態検出手段）
１９  スイッチ
２０  飛行制御則
２２  舵面・推力統合飛行制御則
２３  応答調整用フィルタ
【図１】
2011178248.tif 000003
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
機体の状態を示す状態情報及び操作端からの操作指令信号に基づいて、エンジン推力を制御するための推力指令制御信号及び舵面を制御するための舵角指令制御信号を算出する演算手段と
前記推力指令制御信号に基づいてエンジンを駆動するエンジン駆動手段と、
前記舵角指令制御信号に基づいて各舵面を駆動する舵面駆動手段と、
前記舵面の少なくとも１つが機能不良であることを検出する舵面動作状態検出手段とを備え、
前記演算手段が、前記舵面の少なくとも一つが機能不良であるとことを検出した場合に、前記機能不良となった前記舵面を補いつつ、所望の姿勢に変更または維持するように前記推力指令制御信号及び前記舵角指令制御信号を算出する航空機の制御システム。
【請求項２】
前記舵面の少なくとも１つが機能不良であることを検出し、その旨を操縦者に報知する警報手段を備えた請求項１記載の航空機の制御システム。
【請求項３】
前記エンジンと前記舵面の応答速度を調整する応答調整用フィルタを設けた請求項１又は請求項２記載の航空機の制御システム。
【請求項４】
請求項１乃至請求項３の何れか１項に記載の航空機の制御システムを備えた航空機。
【請求項５】
機体の状態を示す状態情報及び操作端からの操作指令信号に基づいて、エンジン推力を制御するための推力指令制御信号及び舵面を制御するための舵角指令制御信号を算出するステップと、
前記推力指令制御信号に基づいてエンジンを駆動するステップと、
前記舵角指令制御信号に基づいて各舵面を駆動するステップと、
前記舵面の少なくとも１つが機能不良であることを検出するステップとを備え、
前記算出するステップが、前記舵面の少なくとも一つが機能不良であるとことを検出した場合に、前記機能不良となった前記舵面を補いつつ、所望の姿勢に変更または維持する前記推力指令制御信号及び前記舵角指令制御信号を算出する航空機の制御方法。
【手続補正２】
【補正対象書類名】明細書
【補正対象項目名】０００７
【補正方法】変更
【補正の内容】
【０００７】
上記課題を解決するために、本発明は以下の手段を採用する。
本発明は、機体の状態を示す状態情報及び操作端からの操作指令信号に基づいて、エンジン推力を制御するための推力指令制御信号及び舵面を制御するための舵角指令制御信号を算出する演算手段と前記推力指令制御信号に基づいてエンジンを駆動するエンジン駆動手段と、前記舵角指令制御信号に基づいて各舵面を駆動する舵面駆動手段と、前記舵面の少なくとも１つが機能不良であることを検出する舵面動作状態検出手段とを備え、前記演算手段が、前記舵面の少なくとも一つが機能不良であるとことを検出した場合に、前記機能不良となった前記舵面を補いつつ、所望の姿勢に変更または維持するように前記推力指令制御信号及び前記舵角指令制御信号を算出する航空機の制御システムを提供する。
【手続補正３】
【補正対象書類名】明細書
【補正対象項目名】０００８
【補正方法】変更
【補正の内容】
【０００８】
本発明によれば、演算手段では、機体に設けられた慣性センサやエアデータセンサ等から、機体の角速度、姿勢角、加速度、迎角、横滑り角、気圧高度及び対気速度等の機体の状態に関する様々な状態情報を取得すると共に、操縦者によって操縦輪等操縦端が操作されたことによる操作指令信号を取得する。そして、機体を所望の姿勢に制御するために、これら状態情報及び操作指令信号に基づいてエンジン推力を制御するための推力指令制御信号及び舵面を制御するための舵角指令制御信号を算出する。さらに、エンジン駆動手段により推力指令制御信号に基づいてエンジンを駆動し、舵面駆動手段により舵角指令制御信号に基づいて各舵面を駆動する。このように、舵面を駆動することによる舵角の制御に加えて、推力指令制御信号に基づいてエンジンを駆動してエンジン推力を制御するので、舵面の一部又は全てが動作不能或いは欠損状態となり舵面が機能しない場合、即ち、舵面による機体の姿勢制御が困難な場合においても、エンジン推力を制御することによって機体を所望の姿勢に変化させる又は維持することができ、操縦者による複雑なスロットル操作を必要とせずに、安定した飛行を継続することができる。
また、本発明によれば、舵面が機能不良となった場合にエンジン推力により機体を制御することで、常に安定した飛行を継続することができる。一般に、エンジン推力により機体を制御する場合、舵面により機体を制御する場合よりも応答速度において劣る。また、全ての舵面が正常である場合には、機体の姿勢維持のためにエンジン推力を制御する必要がない。このため、エンジン推力により機体を制御する場合を、舵面の一部又は全てが機能不良となった場合とすることで、機体をより的確に制御し、常に安定した飛行を継続することができる。
【手続補正４】
【補正対象書類名】明細書
【補正対象項目名】０００９
【補正方法】削除
【補正の内容】
【手続補正５】
【補正対象書類名】明細書
【補正対象項目名】００１３
【補正方法】変更
【補正の内容】
【００１３】
本発明は、機体の状態を示す状態情報及び操作端からの操作指令信号に基づいて、エンジン推力を制御するための推力指令制御信号及び舵面を制御するための舵角指令制御信号を算出するステップと、前記推力指令制御信号に基づいてエンジンを駆動するステップと、前記舵角指令制御信号に基づいて各舵面を駆動するステップと、前記舵面の少なくとも１つが機能不良であることを検出するステップとを備え、前記算出するステップが、前記舵面の少なくとも一つが機能不良であるとことを検出した場合に、前記機能不良となった前記舵面を補いつつ、所望の姿勢に変更または維持する前記推力指令制御信号及び前記舵角指令制御信号を算出する航空機の制御方法を提供する。